(57)【要約】【課題】遮水シートを介して貯水ピット内に配置される充填構造体の表面に凹凸がある場合でも、遮水シートが土圧により損傷することを効果的に防止する。【解決手段】雨水貯留槽１０では、受圧パネル１１０が充填構造体１８の外側面を形成する側板４４、９０に取り付けると、この受圧パネル１１０により充填構造体１８の外側面を覆うことができる。これにより、遮水保護層１６を介して充填構造体の外側面が土圧を受けても、遮水保護層１６の遮水シート２０を受圧パネル１１０により支持できると共に、遮水シート２０が充填構造体１８の外側面における凹状部分や、充填ブロック４０間の隙間に嵌まり込むように局部的に変形することを防止できるので、遮水シート２０に局部的に過大な張力が生じることを防止でき、遮水シート２０が破損することを効果的に防止できる。【選択図】図１２
2008031645.tif 000002
【特許請求の範囲】
【請求項１】
高さ方向に沿った一端側が開口した筒状の側板及び、該側板の他端側を閉止する頂板が一体的に設けられ、前記側板に開口する窓部を備えた充填ブロックと、
地面に形成された凹状の貯水ピットの内表面を覆うように敷設された遮水シートと、
複数個の前記充填ブロックが前記高さ方と直交する行方向及び列方向に沿って配列されると共に、前記高さ方向に沿って積層されて構成され、前記遮水シートを介して貯水ピット内に配置される充填構造体と、
前記充填構造体の外側面を形成する前記側板に取付可能とされ、該側板に取り付けられると、前記充填構造体の外側面における前記窓部及び、互いに隣接する一対の窓部間の領域を外側から覆うプレート状の受圧パネルと、
を有することを特徴とする雨水貯留槽。
【請求項２】
前記受圧パネルは、前記充填構造体の頂面を形成する前記頂板に取付可能とされ、該頂板に取り付けられると、前記充填構造体の頂面における互いに隣接する一対の前記頂板間を上側から覆うことを特徴とする請求項１記載の雨水貯留槽。
【請求項３】
前記受圧パネルは、前記充填構造体の外側面又は頂面と対向する内側の取付面とは反対側の面が平面状の受圧面とされたことを特徴とする請求項１又は２記載の雨水貯留槽。
【請求項４】
前記取付面に、前記窓部を通して前記側板の内側に挿入されると共に、該側板における前記窓部の周縁部を係止する係止爪を一体的に形成したことを特徴とする請求項３記載の雨水貯留槽。
【請求項５】
前記取付面に、前記側板へ外側から当接して、前記受圧面を略鉛直方向に沿って延在するように支持する補強リブを一体的に形成したことを特徴とする請求項３又は４記載の雨水貯留槽。
【請求項６】
前記充填構造体の頂面に、前記充填ブロックの配列方向に沿って延在する凹状の隙間部を形成すると共に、前記取付面に、前記充填ブロックの配列方向に沿って延在する凸状の補強リブを形成し、
前記補強リブは、前記隙間部に挿入されて、前記受圧パネルを前記充填構造体の頂面における所定の取付位置へ位置決めすることを特徴とする３乃至５の何れか１項記載の雨水貯留槽。
【発明の詳細な説明】
【技術分野】
【０００１】
本発明は、雨水を貯留又は地中に浸透させる等のために用いられる雨水貯留槽に関する。
【背景技術】
【０００２】
近年、特に都市部や工場地帯では、地層表面の多くの部分がコンクリート等の非透水性材で覆われると共に、地層における保水力を高める樹木が少なくなっている。このため、このような地域へ短時間に多量の雨が降った場合に、雨水が殆ど地層中により吸収保水されることなく、地表から直接河川、下水等へ流れるこむことにより、降雨時又は降雨直後に河川、下水等へ流れ込む水量が河川、下水の許容流水量を超え、度々、冠水、河川の氾濫等の水害を引き起こすことが問題となっている。かかる水害を緩和するため、地下に多量の雨水を貯留し、この雨水を序々に地層中へ浸透させる設備や、一旦、貯留した多量の雨水を十分な時間をかけて河川等へ放流する設備や、貯留した雨水を汲み上げて防火水等として使用する設備（これらの設備を包括して「雨水貯留槽」という。）などの開発が進んでいる。
【０００３】
このような雨水貯留槽としては、例えば、特許文献１及び特許文献２に記載されたものが知られている。特許文献１には、地面にピットを堀り、その外表面に遮水シートを敷設して、その上面に複数の容器状部材（充填ブロック）を縦横および上下に積み上げ、更に最上部に覆土などを施して被覆し、雨水を貯留する雨水貯留槽が記載されている。
【０００４】
また特許文献２には、複数の支柱と支柱を垂直に固定する連結部材とからなる雨水貯留槽用充填材（充填構造体）が記載されており、この充填材を用いて雨水貯留槽を構成する際には、まず、地面を堀下げて形成した凹状のピット内を遮水した後、このピット内に充填材を水平方向に並列させるとともに、垂直方向に積み重ねることによって充填し、次いで、これらの充填構造体の上面には土砂浸入防止板を載置し、外周側に位置する充填材の外周面には土砂浸入防止板を取り付け、上面の土砂浸入防止板上に土砂等による被覆層を設け、外周面の土砂浸入防止板の外側に土砂を埋め戻して雨水貯留槽が構成される。
【０００５】
ところで、特許文献２記載の充填構造体は、それぞれパネル状に形成された２枚の連結部材を複数本の支柱により連結して立体構造とするものであり、充填構造体を構成する単位ユニット（充填ブロック）は、その側面部における支柱間が開口したものになっている。また連結部材の中央には円形の透孔が形成されている。これにより、特許文献１記載の雨水貯留槽と比較し、特許文献２記載のものによれば、充填ブロックの側面部の開口及び連結部材の透孔を通して、雨水貯留槽の外部から内部の広い範囲を視認できるので、雨水貯留槽の保守点検が容易になるという利点がある。
【特許文献１】特開昭６３−２６８８２３号公報
【特許文献２】特開２００４−１９２０６公報
【発明の開示】
【発明が解決しようとする課題】
【０００６】
しかしながら、特許文献２記載の充填構造体では、その外側面における支柱間が開口部になると共に、頂面にも連結部材の透孔が開口することから、ピット内で充填構造体を取り囲む遮水シートが大きな土圧を受けた場合に、遮水シートが外側面の開口部や頂面の透孔内へ嵌まり込むように局部的に変形し、その部分に大きな張力が生じるおそれがある。このようにして生じる張力が遮水シートの破断強さを超えて遮水シートが破れると、雨水貯留槽に水洩れが発生する。
【０００７】
一方、特許文献１に記載されているような容器状の充填ブロックでも、その側板部や頂板をそれぞれ凹凸状（広義のリブ形状）として耐荷重性を高めることや、また側板部に保守点検用の窓部を開口させ、又はマンホールとなる凹状湾曲部を形成することがある。このため、特許文献１に記載されているような充填ブロックを配列及び積層して充填構造体を構成した場合にも、土圧を受けた遮水シートが充填構造体の側板部や頂面の凹凸に嵌まり込み、その部分付近で遮水シートが破れるおそれがある。
【０００８】
本発明の目的は、上記事実を考慮して、遮水シートを介して貯水ピット内に配置される充填構造体の表面に凹凸がある場合でも、遮水シートが土圧により損傷することを効果的に防止できる雨水貯留槽を提供することにある。
【課題を解決するための手段】
【０００９】
上記課題を解決するため、請求項１に係る雨水貯留槽は、高さ方向に沿った一端側が開口した筒状の側板及び、該側板の他端側を閉止する頂板が一体的に設けられ、前記側板に開口する窓部を備えた充填ブロックと、地面に形成された凹状の貯水ピットの内表面を覆うように敷設された遮水シートと、複数個の前記充填ブロックが前記高さ方向と直交する行方向及び列方向に沿って配列されると共に、前記高さ方向に沿って積層されて構成され、前記遮水シートを介して貯水ピット内に配置される充填構造体と、前記充填構造体の外側面を形成する前記側板に取付可能とされ、該側板に取り付けられると、前記充填構造体の外側面における前記窓部及び、互いに隣接する一対の窓部間の領域を外側から覆うプレート状の受圧パネルと、を有することを特徴とする。
【００１０】
請求項１に係る雨水貯留槽では、プレート状の受圧パネルが充填構造体の外側面を形成する側板に取付可能とされており、受圧パネルが充填構造体の外側面を形成する側板に取り付けられると、この受圧パネルにより充填構造体の外側面に開口する窓部及び、充填構造体の外側面で互いに隣接する一対の窓部間の領域がそれぞれ覆われる。
【００１１】
これにより、遮水シートを介して充填構造体の外側面が大きな土圧を受けても、遮水シートをプレート状の受圧パネルの表側の面（受圧面）により支持できると共に、遮水シートが充填構造体の外側面における窓部及び窓部間の隙間に嵌まり込むように局部的に変形することを防止できるので、遮水シートに局部的に過大な張力が生じることを防止でき、遮水シートが破損することを効果的に防止できる。
【００１２】
請求項２に係る雨水貯留槽は、請求項１記載の雨水貯留槽において、前記受圧パネルは、前記充填構造体の頂面を形成する前記頂板に取付可能とされ、該頂板に取り付けられると、前記充填構造体の頂面における互いに隣接する一対の前記頂板間を上側から覆うことを特徴とする。
【００１３】
また請求項２に係る雨水貯留槽では、プレート状の受圧パネルが充填構造体の頂面を形成する頂板に取付可能とされており、この頂板に受圧パネルが取り付けられると、この受圧パネルにより充填構造体の頂面における互いに隣接する一対の頂板間の隙間が上側から覆われる。
【００１４】
これにより、遮水シートを介して充填構造体の頂面に大きな土圧を作用しても、遮水シートを受圧パネルの表側の面（受圧面）により支持できると共に、遮水シートが充填構造体の頂面における一対の頂板間の隙間に嵌まり込むように局部的に変形することを防止できるので、遮水シートに局部的に過大な張力が生じることを防止でき、遮水シートが破損することを効果的に防止できる。
【００１５】
請求項３に係る雨水貯留槽は、請求項１又は２記載の雨水貯留槽において、前記受圧パネルは、前記充填構造体の外側面又は頂面と対向する内側の取付面とは反対側の面が平面状の受圧面とされたことを特徴とする。
【００１６】
請求項４に係る雨水貯留槽は、請求項３記載の雨水貯留槽において、前記取付面に、前記窓部を通して前記側板の内側に挿入されると共に、該側板における前記窓部の周縁部を係止する係止爪を一体的に形成したことを特徴とする。
【００１７】
請求項５に係る雨水貯留槽は、請求項３又は４記載の雨水貯留槽請求項４記載の構成において、前記取付面に、前記側板へ外側から当接して、前記受圧面を略鉛直方向に沿って延在するように支持する補強リブを一体的に形成したことを特徴とする。
【００１８】
請求項６に係る雨水貯留槽は、３乃至５の何れか１項記載の雨水貯留槽において、前記充填構造体の頂面に、前記充填ブロックの配列方向に沿って延在する凹状の隙間部を形成すると共に、前記取付面に、前記充填ブロックの配列方向に沿って延在する凸状の補強リブを形成し、前記補強リブは、前記隙間部に挿入されて、前記受圧パネルを前記充填構造体の頂面における所定の取付位置へ位置決めすることを特徴とする。
【発明の効果】
【００１９】
以上説明したように、本発明の雨水貯留槽によれば、遮水シートを介して貯水ピット内に配置される充填構造体の表面に凹凸がある場合でも、遮水シートが土圧により損傷することを効果的に防止できる。
【発明を実施するための最良の形態】
【００２０】
以下、本発明の実施形態に係る雨水貯留槽を図面に基づいて説明する。
【００２１】
（雨水貯留槽及び充填構造体の構成）
図１には本発明の実施形態に係る雨水貯留槽が模式的に示され、図９〜図１２には本実施形態に係る雨水貯留槽に用いられる充填ブロックが示されている。図１に示されるように、雨水貯留槽１０は地中Ｆに埋設されるものであり、その付帯設備として流入桝１２及び流出桝１４を備えている。
【００２２】
図１に示される雨水貯留槽１０を設置する際には、先ず、雨水を回収し、貯留する対象となる敷地の地表面から凹状のピットＰを掘り下げ、このピットＰの内表面を遮水保護層１６により隙間なく覆った後、遮水保護層１６により覆われたピットＰ内に略直方体状に形成された所定容積の充填構造体１８を構築する。
【００２３】
次いで、充填構造体１８の頂面側を遮水シート２０により隙間なく覆って、充填構造体１８の外側を遮水保護層１６及び遮水シート２０により密封した後、充填構造体１８が内部に配置されたピットＰを土により埋め戻して充填構造体１８の上側を覆土層２２により覆う。なお、地下に雨水貯留槽１０が設置される敷地では、通常、地表面の大部分がコンクリート、アスファルト等の非浸水性の舗装材により覆われる。
【００２４】
敷地には、雨水貯留槽１０の周辺に鉄筋コンクリート等により容器状に形成された流入桝１２が埋設されると共に、雨水貯留槽１０に隣接して鉄筋コンクリート等により容器状に形成された流出桝１４が埋設される。流入桝１２は、例えば、敷地を所定の面積を有する複数の領域に区画し、その領域毎に流入桝１２を設置し、これらの流入桝１２にそれぞれ雨水が流れ込むようなっている。ここで、雨水貯留槽１０に最も近接した１個乃至複数個の流入桝１２は、通水管２４を通して他の流入桝１２に接続されている。これにより、敷地全体に降った雨水は、雨水貯留槽１０に最も近接した流入桝１２内に一旦、集水される。
【００２５】
流入桝１２は、その側壁部の下端寄りの部位に流入管２６の一端部が接続されると共に、側壁部における流入管２６との接続部の上側にオーバフロー管２８の一端部が接続されている。流入管２６の他端側は、遮水保護層１６を貫通して雨水貯留槽１０内へ連通し、またオーバフロー管２８の他端部は流出桝１４の側壁部の上端寄りの部位に接続されている。
【００２６】
流出桝１４は、その側壁部の下端部にオリフィス管３０の一端部が接続されると共に、側壁部の上端部にオーバフロー管３２の一端部が接続されている。オリフィス管３０及びオーバフロー管３２の他端部は、それぞれ河川、河川等へ繋がった通水管、排水用の暗渠、下水道等の排水経路に繋がっている。ここで、流出桝１４内には、雨水貯留槽１０からオーバフローした雨水が流れ込み、この雨水が一時的に貯留される。またオリフィス管３０は、流出桝１４内から排水経路へ流出する雨水の流量を制限するオリフィスとしての機能を有している。
【００２７】
遮水保護層１６は、図２に示されるように、外側保護マット３４、遮水シート２０及び内側保護マット３６からなる３層構造とされている。外側保護マット３４及び内側保護マット３６は、それぞれポリエステル短繊維を素材とし、十分な柔軟性を有する不織布により構成されている。外側保護マット３４及び内側保護マット３６は、それぞれ応力集中を緩和することにより、土圧及び充填構造体１８の重量に起因する荷重から充填構造体１８及び遮水シート２０を保護する。
【００２８】
なお、外側保護マット３４には、厚さ方向に沿った中間部にアルミ箔からなる電極シート３８が全面に挟み込まれる。このような電極シート３８には、雨水貯留槽１０からの漏水を検査する際に通電検査装置（図示省略）が接続される。通電検査装置は、電極シート３８と雨水貯留槽１０内に設置された検査電極との間の電流の導通状態を検出することにより、例えば、雨水貯留槽１０における漏水の有無、漏水の程度、漏水箇所を検査する。
【００２９】
雨水貯留槽１０の充填構造体１８は、図３に示される充填ブロック４０及び図５に示される補助ブロック４２により構成されている。充填ブロック４０及び補助ブロック４２は、加水分解が生じない脂材料を素材として成形されている。具体的には、これらのブロック４０、４２の成形素材としては、ポリプロピレン（ＰＰ）、ポリエチレン（ＰＥ）（特に高密度ポリエチレン（ＨＤＰＥ））等のポリオレフィン系樹脂が化学的な安定性、機械的な強度、及び価格の面から好ましい。ここで、樹脂のメルトフローレート（ＭＦＲ）（ＪＩＳ  Ｋ７２１０）は、加工性及び機械的な強度を考慮して１０（Ｆ／１０分）〜１５（Ｆ／１０分）のものがよい。また、これらに充填剤としてカーボンブラックを１〜３％加えて耐光性を高めてもよい。なお、設置場所が高温になる場所ではないため、酸化防止剤は加えなくてもよい。
【００３０】
充填ブロック４０及び補助ブロック４２は、それぞれ射出成形法によって中空容器状に成形されている。充填ブロック４０の肉厚と補助ブロック４２の肉厚は略等しくされており、製品１個当たりの重量及び機械的な強度等を考慮して２ｍｍ〜３ｍｍに設定されている。また補助ブロック４２は、平面視での投影面積が充填ブロック４０の投影面積の略１／８とされている。
【００３１】
図３及び図４に示されるように、充填ブロック４０は、全体として略直方体の容器状に形成されている。充填ブロック４０には、筒体状の側板４４が形成されると共に、この側板４４の頂面側を閉止する頂板４６が一体的に形成されている。充填ブロック４０は頂板４６とは反対の底面側（下端側）が開口端とされており、側板４４には、その下端部に外周側へ延出するように断面Ｌ字状乃至Ｊ字状の折返部４８が全周に亘って形成されている。ここで、充填ブロック４０は、平面視で幅方向（矢印Ｗ方向）を長手方向とする略長方形とされており、幅方向に沿った寸法が奥行方向（矢印Ｄ方向）に沿った寸法の２倍になっている。
【００３２】
充填ブロック４０には、側板４４に略角錐台状に形成された複数個（本実施形態では、８個）の張出部５０Ａ〜５０Ｈ（これらを包括して言う場合には、単に「張出部５０」という。）が形成されている。張出部５０Ａ〜５０Ｄと張出部５０Ｅ〜５０Ｈとはそれぞれ幅方向に沿って直線的に配列されており、これら４個ずつの張出部５０Ａ〜５０Ｄ、５０Ｅ〜５０Ｈは、充填ブロック４０の奥行方向における中心である対称線ＣＬに対して互いに対称的に配置されている。各張出部５０Ａ〜５０Ｈは、その水平方向に沿った断面形状が対称線ＣＬ側へ向って開口する略コ字状に形成されている。この張出部５０Ａ〜５０Ｈは、図１０に示されるように、下端側から上端側へ向って幅方向及び奥行方向に沿った寸法が序々に小さくなるテーパ状に形成されている。また各張出部５０Ａ〜５０Ｈの幅方向及び奥行方向に沿ったピッチはそれぞれ等しいものになっている。
【００３３】
側板４４には、４個の張出部５０Ａ〜５０Ｄ間にそれぞれ連結板部５２Ａ〜５２Ｃが一体的に形成されると共に、４個の張出部５０Ｅ〜５０Ｈ間にそれぞれ連結板部５２Ｄ〜５２ＦＣが一体的に形成されている。これらの連結板部５２Ａ〜５２Ｆ（これらを包括して言う場合には、単に「連結板部５２」という。）は、それぞれ幅方向に沿って隣接する一対の張出部５０Ａ〜５０Ｈを互いに連結している。これにより、側板４４における張出部５０Ａ〜５０Ｄ間にそれぞれ対称線ＣＬ側へ凹んだ窪み部５４Ａ〜５４Ｃが形成され、張出部５０Ｅ〜５０Ｈ間にそれぞれ対称線ＣＬ側へコ字状に凹んだ窪み部５４Ｄ〜５４Ｆ（これらを包括して言う場合には、単に「窪み部５４」という。）が形成される。
【００３４】
図４（Ａ）に示されるように、側板４４には、窪み部５４Ａ〜５４Ｃの下端側を閉止する底板部５６Ａ〜５６Ｃが一体的に形成されると共に、窪み部５４Ｄ〜５４Ｆの下端側を閉止する底板部５６Ｄ〜５６Ｆ（これらを包括して言う場合には、単に「底板部５６」という。）が一体的に形成されている。また側板４４には、幅方向一端側に位置する２個の張出部５０Ａ、５０Ｅ間に凹状の湾曲板部５８が一体的に形成されると共に、幅方向他端側に位置する２個の張出部５０Ｃ、５０Ｈ間にも凹状の湾曲板部５８が一体的に形成されている。これらの湾曲板部５８は、それぞれ断面形状が円弧状に形成されており、その曲率半径（内径）が上端側から下端側へ向って序々に小さくなっている。
【００３５】
頂板４６には、対称線ＣＬに沿って細長く延在する略長方形のセンター板部６０が形成されると共に、センター板部６０から幅方向に沿って外側へ延出する蓋板部６２Ａ〜６２Ｄ及び蓋板部６２Ｅ〜６２Ｈ（これらを包括して言う場合には、単に「蓋板部６２」という。）が一体的に形成されている。これらの蓋板部６２Ａ〜６２Ｄ及び蓋板部６２Ｅ〜６２Ｈは、張出部５０Ａ〜５０Ｄの頂面側及び張出部５０Ｅ〜５０Ｈの頂面側をそれぞれ閉止している。
【００３６】
充填ブロック４０では、その側板４４に張出部５０Ａ〜５０Ｈが形成されると共に、互いに隣接する張出部５０Ａ〜５０Ｈ間が連結板部５２Ａ〜５２Ｆ及び底板部５６Ａ〜５６Ｆにより連結され、又は湾曲板部５８により連結されることにより、外部荷重に対して張出部５０Ａ〜５０Ｈが補強リブとして機能し、側板４４が凹凸の形成されていない平板状に形成されている場合と比較し、外部荷重に対して高い強度が確保されている。
【００３７】
頂板４６には、センター板部６０における奥行方向両端部それぞれ沿うように立壁部６４、６５が形成されており、これら一対の立壁部６４、６５は、それぞれセンター板部６０に対して略直角に立ち上がって、その上端が頂板４６の上面と一致している。これにより、頂板４６には、立壁部６４、６５間に下端側がセンター板部６０により閉止され幅方向へ直線的に延在する嵌挿溝６６が形成される。立壁部６４には、張出部５０Ａ、５０Ｂ間、張出部５０Ｂ、５０Ｃ間及び張出部５０Ｃ、５０Ｄ間にそれぞれ矩形状の切欠部６８Ａ〜６８Ｃが形成され、また立壁部６４には、張出部５０Ｅ、５０Ｆ間、張出部５０Ｆ、５０Ｇ間及び張出部５０Ｇ、５０Ｈ間にそれぞれ矩形状の切欠部６８Ｄ〜６８Ｆ（これらを包括して言う場合には、単に「切欠部６８」という。）が形成されている。これらの切欠部６８Ａ〜６８Ｆの底面部分はセンター板部６０の上面と同一平面上に位置している。
【００３８】
ここで、嵌挿溝６６の幅と切欠部６８Ａ〜６８Ｆの幅とは互いに等しくなっており、充填ブロック４０の側板４４下端部の厚さの２倍によりも僅かに広くなっている。
【００３９】
図３に示されるように、充填ブロック４０における張出部５０Ａ〜５０Ｈの側壁部には、それぞれ３個の窓部７０、７２、７４が板厚方向へ貫通するように形成されている。窓部７０、７２、７４は、高さ方向（矢印Ｈ方向）に沿って細長い略長方形に形成されている。ここで、窓部７０は、張出部５０Ａ〜５０Ｈにおける奥行方向外側の端部に配置され、窓部７２、７４は、張出部５０Ａ〜５０Ｈにおける幅方向に沿った一端部及び他端部にそれぞれ配置されている。
【００４０】
また頂板４６には、センター板部６０に張出部５０Ａ〜５０Ｈの幅方向に沿って等しいピッチと略等しいピッチで４個の開口部７６が矩形状に形成されると共に、これらの開口部７６のうち幅方向中央側に配置された２個の開口部７６の間に１個の開口部７８が形成されている。また頂板４６における蓋板部６２Ａ〜６２Ｈには、それぞれ複数個の貫通穴８０Ａ〜８０Ｈ（これらを包括して言う場合には、単に「貫通穴８０」という。）が矩形状に形成されている。
【００４１】
上記のように充填ブロック４０に形成された窓部７０、７２、７４、開口部７６、７８及び貫通穴８０Ａ〜８０Ｈは、充填ブロック４０内外への水の通水性を良好としており、これにより、充填ブロック４０及び補助ブロック４２により構成される充填構造体１８内外への水の通水性も良好になる。
【００４２】
図５に示されるように、補助ブロック４２は、全体として略円錐台の容器状に形成されている。補助ブロック４２には、筒体状の側板９０が形成されると共に、この側板９０の頂面側を閉止する頂板９２が一体的に形成されている。補助ブロック４２は頂板９２とは反対の底面側（下端側）が開口端とされており、側板９０には、その下端部に外周側へ延出するように断面Ｌ字状乃至Ｊ字状の折返部９４が全周に亘って形成されている。ここで、補助ブロック４２は、平面視で幅方向及び奥行方向に沿った寸法が互いに等しい略正方形とされ、その縦横の寸法が充填ブロック４０の幅方向に沿った寸法の１／４となり、充填ブロック４０の奥行方向に沿った寸法の１／２となっている。
【００４３】
補助ブロック４２には、側板９０における幅方向に沿った両端部及び奥行方向に沿った両端部にそれぞれ窓部９６が形成されている。これら４個の窓部９６の形状は、充填ブロック４０における窓部７０、７２、７４の形状と実質的に同じものになっている。また補助ブロック４２の頂板９２には、その中央部に凸状の嵌挿部９８が一体的に形成されている。この嵌挿部９８は平面視で略正方形とされており、下端側から上端側へ向って断面積が序々に縮小するテーパ状に形成されている。嵌挿部９８は、充填ブロック４０における８個の蓋板部６２Ａ〜６２Ｈの中央付近にそれぞれ形成された貫通穴８０Ａ〜８０Ｈに嵌脱可能とされている。
【００４４】
補助ブロック４２は、充填構造体１８の一部とされる際に、図５に示される姿勢とは上下が反転した状態で、充填ブロック４０における張出部５０Ａ〜５０Ｈの何れかの上側に載置される。このとき、補助ブロック４２は、嵌挿部９８を充填ブロック４０における貫通穴８０Ａ〜８０Ｈの何れかに嵌挿すると共に、頂板９２を蓋板部６２Ａ〜６２Ｈに当接させる。これにより、この補助ブロック４２は、嵌挿部９８を嵌挿した貫通穴８０Ａ〜８０Ｈの下側に位置する張出部５０Ａ〜５０Ｈと平面視で同一位置となるように位置決めされると共に、高さ方向へも所定の位置へ位置決めされる。
【００４５】
（充填構造体及び雨水貯留槽の構築方法）
次に、遮水保護層１６により内表面が覆われたピットＰ内に充填構造体１８を構築する方法について説明する。充填ブロック４０及び補助ブロック４２を用いて充填構造体１８を構築する際には、先ず、図６に示されるように、遮水保護層１６を介して複数個の充填ブロック４０をピットＰの底面上に配置する。ここで、便宜上、ピットＰの水平方向に沿った断面形状（水平断面）が略矩形状であるものとし、ピットＰの水平断面における水の流通方向を行方向（矢印Ｒ方向）これと直交する方向を列方向（矢印Ｌ方向）とし、ピットＰの深さ方向を高さ方向（矢印Ｈ方向）とする。
【００４６】
充填構造体１８を構築する作業者は、充填構造体１８の最下層（第１段目）となる複数個の充填ブロック４０を、その長手方向がピットＰの列方向と一致する向きとしつつ、これらの充填ブロック４０を列方向に沿って互いに接するように配列すると共に、行方向に沿っても互いに接するように配列し、これらの充填ブロック４０によりピットＰの底面全体を覆う。これにより、図１１に示されるように、列方向に沿って互いに隣接する充填ブロック４０における側板４４の短辺部分同士が接し、一対の側板４４にそれぞれ形成された湾曲板部５８により高さ方向へ貫通する略円形のメンテナンス穴１００が形成される。
【００４７】
次いで、図７に示されるように、作業者は、充填構造体１８の第２段目となる複数個の充填ブロック４０を、その長手方向がピットＰの行方向と一致する向きとしつつ、すなわち第１段目の充填ブロック４０に対して方向を９０°回転させつつ、第１段目の充填ブロック４０上に積み上げる。このとき、作業者は、第２段目を構成する複数個の充填ブロック４０も列方向に沿って互いに接するように配列すると共に、行方向に沿っても互いに接するように配列する。また作業者は、第２段目を構成する複数個の充填ブロック４０が第１段目を構成する複数個の充填ブロック４０における最も外側の張出部５０上には位置しないよう、第２段目を構成する複数個の充填ブロック４０を１個の張出部５０に対応する寸法だけ行方向及び列方向に沿って内側へずらして第１段目上に配置する。
【００４８】
図１１には、２段目の充填構造体１８が想像線及びハッチングにより示されている。第２段目を構成する複数個の充填ブロック４０でも、行方向に沿って互いに隣接する充填ブロック４０側板４４の短辺部分同士が接し、一対の側板４４にそれぞれ形成された湾曲板部５８により高さ方向へ貫通するメンテナンス穴１００が形成される。これら第２段目のメンテナンス穴１００は、第１段目のメンテナンス穴１００における行方向に沿って端から奇数番目（１番目を除く、３、５、・・・番目）に配置されたメンテナンス穴１００と一致し、充填構造体１８を高さ方向へ貫通する。
【００４９】
第２段目を構成する複数個の充填ブロック４０うち、列方向に沿って互いに隣接する一対の充填ブロック４０は、それぞれ側板４４下端部の長辺部分を第１段目の充填ブロック４０における頂板４６の切欠部６８内に嵌挿する。また第２段目を構成する複数個の充填ブロック４０うち、行方向に沿って互いに隣接する一対の充填ブロック４０は、それぞれ側板４４下端部の短辺部分を第１段目の充填ブロック４０における頂板４６の嵌挿溝６６内に嵌挿する。これにより、第２段目を構成する複数個の充填ブロック４０は、それぞれ行方向及び列方向（水平方向）に沿って所定の位置へ位置決めされる。
【００５０】
次いで、図８に示されるように、作業者は、充填構造体１８の第２段目となる複数個の補助ブロック４２を、図５に示される姿勢とは上下反転した状態とし、すなわち開口端が上方を向いた状態とし、第１段目を構成する複数個の充填ブロック４０上の外周側に積み上げる。このとき、複数個の補助ブロック４２は、第１段目を構成する複数個の充填ブロック４０における最も外周側の張出部５０上にのみ積み上げられ、充填構造体１８の第２段目の外周部に沿って全周に亘って配列される。これにより、充填構造体１８の第２段目が充填ブロック４０及び補助ブロック４２により構成される。
【００５１】
次いで、図９及び図１０に示されるように、第２段目の充填ブロック４０及び補助ブロック４２上に第３段目を構成する複数個の充填ブロック４０を積み上げる。これらの充填ブロック４０は、第１段目を構成する複数個の充填ブロック４０と同一方向及び同一位置に配置される。以後同様に、偶数段目に積み上げられる充填ブロック４０及び補助ブロック４２は、２段目の充填ブロック４０及び補助ブロック４２と同一方向及び同一位置に配置され、奇数段目に積み上げられる充填ブロック４０は、１段目の充填ブロック４０と同一方向及び同一位置に配置される。このようにして充填ブロック４０及び補助ブロック４２をピットＰ（雨水貯留槽１０）の深さに応じた段数だけ積み上げることにより、図１に示されるように、ピットＰ内に充填構造体１８が構築される。
【００５２】
作業者は、ピットＰ内に充填構造体１８を構築した後、充填構造体１８の上面側を遮水シート２０により隙間なく覆うと共に、必要な配管作業等を行った後に、充填構造体１８の上側を土により埋め戻して覆土層２２を形成する。また敷地の地表面は、必要に応じてコンクリート、アスファルト等の舗装材により舗装され、又はブロック等が敷きつめられる。
【００５３】
なお、図１５に示されるように、敷地における覆土層２２には、充填構造体１８の上面へ開口するメンテナンス穴１００の直上となる領域にマンホール穴１０２が遮水シート２０まで掘り下げられ、遮水シート２０におけるメンテナンス穴１００に面した部分に開口部（図示省略）が形成される。またマンホール穴１０２には、入口部にマンホール蓋１０４が嵌め込まれる。これにより、雨水貯留槽１０（充填構造体１８）内を点検したい場合や、雨水貯留槽１０の底面部に堆積した土砂を除去したい場合には、マンホール蓋１０４を取り外せば、マンホール穴１０２及びメンテナンス穴１００を通して直接、又は点検用光学スコープ等により雨水貯留槽１０の内部を点検でき、また図１５に示されるように、メンテナンス穴１００を通して充填構造体１８の底面部までバキュームホース１０６を挿入すれば、バキュームホース１０６により土砂を吸引し、除去できるようになる。
【００５４】
（受圧パネルの構成及び取付方法）
上記のように構成された充填構造体１８には、必要に応じて図１３に示される受圧パネル１１０がオプショナル部品として取付可能とされている。地中に埋設された充填構造体１８は、その外側面及び頂面に遮水保護層１６及び遮水シート２０を介して土圧Ｐ（図１４参照）が作用する。充填構造体１８の外側面に作用する土圧Ｐは地表面からの距離が増加するに従って増加し、充填構造体１８の頂面に作用する土圧Ｐは覆土層２２の厚さが増加するに従って増加する。
【００５５】
一方、充填構造体１８の外側面では、奇数段目については充填ブロック４０の湾曲板部５８、窓部７０及び窪み部５４が周辺の領域に対して凹状となっており、奇数段目については補助ブロック４２の窓部９６が周辺の領域に対して凹状となっている。また充填構造体１８の頂面では、充填ブロック４０における嵌挿溝６６、窪み部５４及び、互いに隣接するブロック４０、４２の頂板４６間の隙間が周辺の領域に対して凹状となっている。
【００５６】
このため、充填構造体１８の外側面又は頂面が遮水保護層１６又は遮水シート２０を介して大きな土圧を受けると、遮水保護層１６又は遮水シートが土と共に充填構造体１８の凹状の部分に入り込み、遮水保護層１６又は遮水シート２０の一部が凹状の部分に沿って引延ばされ、遮水シート２０の一部に過大な張力が発生することがある。このようにして遮水シート２０に生じた張力が破断強さを超えると、遮水シート２０に亀裂、継目間の剥離等の損傷が発生し、この損傷した部分を通して雨水貯留槽１０内に蓄えられた雨水が洩れ出すおそれがある。また損傷が経時的に拡大すると、充填構造体１８の周囲の土壁が崩れて、損傷部分を通して雨水貯留槽１０内に土が侵入するおそれもある。
【００５７】
本実施形態に係る雨水貯留槽１０では、充填構造体１８が受ける土圧により上記のような問題が発生する可能性がある場合には、充填構造体１８の外側面又は頂面に受圧パネル１１０が取付けられる。受圧パネル１１０は、図１３に示されるように、全体として略長方形のプレート状に形成されており、土圧を受ける側の面である受圧面１１２（図１３（Ａ）参照）が平面状に形成されている。受圧パネル１１０は、受圧面１１２とは反対側の面が取付面１１４（図１３（Ｂ）参照）とされている。取付面１１４には、その長手直角方向の中央部に第１補強リブ１１６が長手方向へ延在するように一体的に形成されると共に、その長手方向の中央部に第２補強リブ１１８が長手直角方向へ延在するように一体的に形成されている。これにより、取付面１１４では、中央部付近で第１補強リブ１１６と第２補強リブ１１８が直角に交差する。
【００５８】
第１補強リブ１１６には、長手方向に直線的に延在する複数本の縦桟部１２０と長手直角方向に沿って延在し、複数本（本実施形態では、３本）の縦桟部１２０を連結する複数本の横桟部１２２が一体的に形成されている。第１補強リブ１１６は、長手直角方向に沿った一端側から他端側へ向って肉厚が取付面１１４から突出長が序々に厚くなったスロープ状に形成されており、その傾斜角が充填ブロック４０における側板４４の傾き角及び補助ブロック４２における側板９０の傾き角と対応するものになっている。また第２補強リブ１１８は、長手直角方向に直線的に延在し、第１補強リブ１１６を横断する複数本（本実施形態では、５本）の横桟部１２２により構成されている。
【００５９】
ここで、受圧パネル１１０における第１補強リブ１１６の長手直角方向に沿った幅は、充填ブロック４０における窪み部５４の幅より僅かに狭いものになっており、第２補強リブ１１８の長手方向に沿った幅は、充填構造体１８で行方向に沿って互いに隣接する一対の充填ブロック４０間に形成される隙間の幅よりも僅かに狭くなっている。また受圧パネル１１０の長手方向に沿った寸法は、充填ブロック４０及び補助ブロック４２の高さ方向に沿った寸法と実質的に等しく、また受圧パネル１１０の長手直角方向に沿った寸法は、補助ブロック４２の幅方向に沿った寸法及び充填ブロック４０の幅方向に沿った寸法の１／４と実質的に等しくなっている。
【００６０】
図１３（Ｂ）に示されるように、受圧パネル１１０には、第１補強リブ１１６の一端部から長手方向に沿って取付面１１４の一端まで延出する２本の係止爪１２４が一体的に形成されている。これら係止爪１２４と取付面１１４との間には、充填ブロック４０及び補助ブロック４２の肉厚よりも僅かに幅広となっているスリット状の隙間１２６が形成され、この隙間１２６は長手方向外側へ開口したものとなる。
【００６１】
先ず、受圧パネル１１０を充填構造体１８の外側面に取り付ける場合について説明する。作業者は、受圧パネル１１０を充填構造体１８における奇数段目（１、２、３・・・段目）の外側面を構成する充填ブロック４０に取り付けるときには、受圧パネル１１０を一対の係止爪１２４が下側を向くような姿勢としつつ、一対の係止爪１２４を窓部７０、７２、７４を通して充填ブロック４０内へ挿入する。この後、作業者は、一対の係止爪１２４と取付面１１４との隙間１２６に側板４４における窓部７０、７２、７４下端に沿った周縁部を挿入すると共に、補強リブ１１６、１１８を側板４４へ突き当てる。これにより、一対の係止爪１２４により側板４４が係止されて受圧パネル１１０が充填構造体１８（充填ブロック４０）の外側面に取り付けられる。このとき、受圧パネル１１０の第１補強リブ１１６が充填ブロック４０の側板４４とは逆の傾きを有することにより、受圧パネル１１０の受圧面１１２は高さ方向（鉛直方向）と略平行となるように支持される。
【００６２】
作業者は、複数個の受圧パネル１１０を充填構造体１８の奇数段目における外側面の一端から他端へ向って順に取り付けて行くことにより、図１２に示されるように、充填構造体１８の奇数段目における外側面を複数個の受圧パネル１１０により略隙間なく覆うことができる。
【００６３】
また作業者は、受圧パネル１１０を充填構造体１８における遇数段目（２、４、６・・・段目）の外側面を構成する補助ブロック４２に取り付けるときには、受圧パネル１１０を一対の係止爪１２４が上側を向くような姿勢としつつ、一対の係止爪１２４を補助ブロック４２の窓部９６を通して充填ブロック４０内へ挿入する。この後、作業者は、一対の係止爪１２４と取付面１１４との隙間１２６に側板９０における窓部９６上端に沿った周縁部を挿入すると共に、補強リブ１１６、１１８を側板９０へ突き当てる。これにより、一対の係止爪１２４により側板９０が係止されて受圧パネル１１０が充填構造体１８（補助ブロック４２）の外側面に取り付けられる。このとき、受圧パネル１１０の第１補強リブ１１６が補助ブロック４２の側板９０とは逆の傾きを有することにより、受圧パネル１１０の受圧面１１２は高さ方向（鉛直方向）と略平行となるように支持される。
【００６４】
作業者は、複数個の受圧パネル１１０を充填構造体１８の偶数段目における外側面の一端から他端へ向って順に取り付けて行くことにより、図１２に示されるように、充填構造体１８の偶数段目における外側面を複数個の受圧パネル１１０により略隙間なく覆うことができる。
【００６５】
次に、受圧パネル１１０を充填構造体１８の頂面に取り付ける場合について説明する。作業者は、受圧パネル１１０を第１補強リブ１１６が行方向へ延在すると共に第２補強リブ１１８が列方向へ延在するような姿勢としつつ、行方向に沿って互いに隣接する一対の充填ブロック４０を跨ぐように一対の頂板４６上に載置される。このとき、受圧パネル１１０は、第１補強リブ１１６を一対の充填ブロック４０における窪み部５４内へ挿入すると共に、第２補強リブ１１８を一対の充填ブロック４０間に形成される隙間内へ挿入し、取付面１１４を一対の頂板４６へ突き当てる。これにより、受圧パネル１１０が充填構造体１８（充填ブロック４０）の頂面における所定位置へ取り付けられ、受圧面１１２が充填構造体１８の頂面と平行となるように支持される。
【００６６】
作業者は、複数個の受圧パネル１１０を充填構造体１８の頂面における行方向に沿った一端部から他端部へ向って順に取り付け、更に列方向に沿って一端部から他端部へ向って同様の作業を繰り返すことにより、充填構造体１８の頂面における嵌挿溝６６を除く領域を複数個の受圧パネル１１０により略隙間なく覆うことができる。
【００６７】
（雨水貯留槽の作用）
次に、上記のように構成された雨水貯留槽１０の作用について説明する。
【００６８】
雨水貯留槽１０が設置された敷地では、雨が降ると敷地の地表面から流入桝１２内に雨水が一旦流入し、流入桝１２内に蓄えられた雨水が流入管２６を通して雨水貯留槽１０内へ流入する。このとき、流入桝１２内の水位がオーバフロー管２８の接続部よりも高くなると、流入桝１２内の雨水がオーバフロー管２８を通して流出桝１４へ直接流れ出し、流入桝１２から雨水が溢れることを防止している。
【００６９】
雨水貯留槽１０内へ流入した雨水は、雨水貯留槽１０と流出桝１４との間に設けられたオリフィス（図示省略）を通して雨水貯留槽１０から流出桝１４へ流れ出る。オリフィスは、雨水の流通量が流出桝１４に接続されたオリフィス管３０における雨水の流通量とバランスするように、水の流通量を制限している。また雨水貯留槽１０からの雨水の流出量を超える雨水が雨水貯留槽１０内へ継続的に流れ込み、雨水貯留槽１０が満水近くになると、雨水貯留槽１０内の雨水が流出桝１４内へオーバフローし、雨水貯留槽１０内から雨水が溢れることが防止される。
【００７０】
流出桝１４内へ流入した雨水は、オリフィス管３０を通して通水管、排水用の暗渠、下水道等の排水経路へ流れ出し、最終的に河川、海等へ放流される。またオリフィス管３０における雨水の流通量を超える雨水が流出桝１４内へ継続的に流れ込み、流出桝１４が満水近くになると、流出桝１４内の雨水がオーバフロー管３２を通って排水経路へ流れ出し、流出桝１４内から雨水が溢れることが防止される。
【００７１】
上記のような雨水貯留槽１０によれば、その内容積を敷地面積に応じて設定することにより、敷地に降った雨が地表面から直接、河川、下水等へ流れ込むことがなくなり、敷地面積に対応する量の雨水を雨水貯留槽１０内へ一旦蓄えた後、雨水を雨水貯留槽１０内から序々に雨水が河川、下水等へ流出させることができるので、短時間に多量の雨が降った場合（集中豪雨時）にも、河川、下水に許容流水量を超える雨水が流れる込むことを防止し、冠水、河川の氾濫等の水害を引き起こすことを効果的に防止できる。
【００７２】
また本実施形態に係る雨水貯留槽１０では、プレート状の受圧パネル１１０が充填構造体１８の外側面を形成する側板４４、９０に取付可能とされており、受圧パネル１１０が充填構造体１８の外側面を形成する側板４４、９０に取り付けられると、この受圧パネル１１０により充填構造体１８の外側面に開口する窓部７０、７２、７４、９６、湾曲板部５８、窪み部５４を閉塞できると共に、充填構造体１８の外側面を受圧パネル１１０により覆うことができる。
【００７３】
これにより、遮水保護層１６を介して充填構造体の外側面が土圧を受けても、遮水保護層１６の遮水シート２０を受圧パネル１１０における平面状の受圧面１１２により支持できると共に、遮水シート２０が充填構造体１８の外側面における窓部７０、７２、窪み部５４、湾曲板部５８等の凹状部分や、充填ブロック４０間の隙間に嵌まり込むように局部的に変形することを防止できるので、遮水シート２０に局部的に過大な張力が生じることを防止でき、遮水シート２０が破損することを効果的に防止できる。
【００７４】
また雨水貯留槽１０では、受圧パネル１１０が充填構造体１８の頂面を形成する頂板４６に取付可能とされており、この頂板４６に受圧パネル１１０が取り付けられると、この受圧パネル１１０により充填構造体１８の頂面における窪み部５４及び一対の頂板４６の隙間が上側から覆われることにより、遮水シート２０を介して充填構造体１８の頂面に大きな土圧が作用しても、遮水シート２０を受圧パネル１１０の受圧面１１２により支持できると共に、遮水シート２０が充填構造体１８の頂面における一対の頂板４６間の隙間に嵌まり込むように局部的に変形することを防止できるので、遮水シート２０に局部的に過大な張力が生じることを防止でき、遮水シート２０が破損することを効果的に防止できる。
【００７５】
なお、充填構造体１８の外側面については、受圧パネル１１０により外側面の全体を必ずしも覆う必要はなく、土圧が大きくなる外側面の下側の領域のみを受圧パネル１１０により覆うようにしても良い。
【００７６】
また充填ブロック又は補助ブロックとして窓部が形成されていないものを用いた場合でも、充填ブロック又は補助ブロックの側板に係止爪１２４が挿入可能となる開口部を形成し、この開口部を通して係止爪１２４を充填ブロック又は補助ブロックの内部へ挿入し、係止爪１２４により充填ブロック又は補助ブロックの側板を係止することにより、受圧パネル１１０を充填ブロック又は補助ブロックに取り付けるようにしても良い。
【図面の簡単な説明】
【００７７】
【図１】本発明の実施形態に係る雨水貯留浸透槽の構成を模式的に示す断面図である。
【図２】図１に示される雨水貯留槽における遮水保護層の構成を示す断面図である。
【図３】図１に示される雨水貯留槽に用いられる充填ブロックの構成を示す斜視図である。
【図４】図３に示される充填ブロックの平面図及び側面図である。
【図５】図１に示される雨水貯留槽に用いられる補助ブロックの構成を示す斜視図である。
【図６】図１に示される雨水貯留槽に用いられる充填構造体の第１段目の構成を示す斜視図である。
【図７】図１に示される雨水貯留槽に用いられる充填構造体の第１段目及び第２段目における充填ブロックにより構成された部分の構成を示す斜視図である。
【図８】図１に示される雨水貯留槽に用いられる充填構造体の第１段目及び第２段目の構成を示す斜視図である。
【図９】図１に示される雨水貯留槽に用いられる充填構造体の第１段目〜第３段目の構成を示す斜視図である。
【図１０】図１に示される充填構造体における第１段目〜第３段目までの側面図である。
【図１１】図１に示される雨水貯留槽に用いられる充填構造体の構成を示す平面図である。
【図１２】図１に示される雨水貯留槽に用いられる充填構造体にオプション部材としての受圧パネルを取り付けた状態を示す斜視図である。
【図１３】図１１に示される受圧パネルの表面側及び裏面側を示す斜視図である。
【図１４】図１１に示される受圧パネルにより土圧を支持している状態を模式的に示す平面図である。
【図１５】本発明の実施形態に係る雨水貯留浸透槽内の堆積した土砂をバキュームホースにより吸引回収している状態を示す断面図である。
【符号の説明】
【００７８】
１０ 雨水貯留槽
１６ 遮水保護層
１８ 充填構造体
２０ 遮水シート
４０ 充填ブロック
４２ 補助ブロック
４４ 側板（充填ブロック）
４６ 頂板（充填ブロック）
７０ 窓部（充填ブロック）
７２ 窓部（充填ブロック）
７４ 窓部（充填ブロック）
９０ 側板（補助ブロック）
９２ 頂板（補助ブロック）
９６ 窓部（補助ブロック）
１１０      受圧パネル
１１２      受圧面
１１４      取付面
１１６      第１補強リブ
１１８      第２補強リブ
１２４      係止爪
【図１】
2008031645.tif 000003
【図２】
2008031645.tif 000004
【図３】
2008031645.tif 000005
【図４】
2008031645.tif 000006
【図５】
2008031645.tif 000007
【図６】
2008031645.tif 000008
【図７】
2008031645.tif 000009
【図８】
2008031645.tif 000010
【図９】
2008031645.tif 000011
【図１０】
2008031645.tif 000012
【図１１】
2008031645.tif 000013
【図１２】
2008031645.tif 000014
【図１３】
2008031645.tif 000015
【図１４】
2008031645.tif 000016
【図１５】
2008031645.tif 000017